(57)【特許請求の範囲】
【請求項１】
無線通信エレメントであって、
第１のクロック・ドメイン内で動作し、
参照トリガ及びトリガ調節値を示すデータ転送情報を生成する
よう構成された第１のコントローラと、
通信するよう前記第１のコントローラに結合され、カウンタ値を増加させるよう構成されたカウンタを備える第２のコントローラと
を備え、前記第２のコントローラは、
前記データ転送情報を前記第１のコントローラから受け取り、
前記参照トリガに基づいて第２の無線通信エレメントとの、参照サブフレームの転送を起動し、
前記参照サブフレームの前記転送により、前記カウンタを開始させ、
前記カウンタ値及び前記トリガ調節値に基づいてデータ転送トリガを生成し、
前記データ転送トリガに基づいて前記第２の無線通信エレメントとの、データ・サブフレームのデータ転送を起動するよう構成され、前記カウンタは、前記第１のコントローラの前記第１のクロック・ドメインと別個の第２のクロック・ドメイン内で動作するよう構成された無線通信エレメント。
【請求項２】
請求項１記載の無線通信エレメントであって、前記データ転送は、前記無線通信エレメントが前記データ・サブフレームを前記第２の無線通信エレメントに送信する機能を含む無線通信エレメント。
【請求項３】
請求項１記載の無線通信エレメントであって、前記データ転送は、前記無線通信エレメントが前記データ・サブフレームを前記第２の無線通信エレメントから受信する機能を含む無線通信エレメント。
【請求項４】
請求項１記載の無線通信エレメントであって、前記第２のコントローラは、前記カウンタがリセットされ、前記無線通信エレメントの起動、適応不連続受信サイクル（ＤＲＸ）、及び前記カウンタのリセットを示す命令の前記第１のコントローラからの前記第２のコントローラによる受け取りを含む群から選択されるイベントに応じて増加しないように前記カウンタをリセットするよう構成される無線通信エレメント。
【請求項５】
無線通信エレメントのデータ転送のタイミングをとる方法であって、
参照トリガ及びトリガ調節値を示すデータ転送情報を、第１のクロック・ドメイン内で動作する第１のコントローラから、前記第１のクロック・ドメインと別個の第２のクロック・ドメイン内で動作する第２のコントローラによって受け取る工程であって、前記第２のコントローラはカウンタを含み、
前記カウンタのカウンタ値を、前記第２のクロック・ドメイン内で動作する前記カウンタによって増加させる工程と、
前記参照トリガに基づいて第２の無線通信エレメントとの、参照サブフレームを前記第２のコントローラによって転送する工程と、
前記参照サブフレームの前記転送により、前記カウンタを開始させる工程と、
前記カウンタ値及び前記トリガ調節値に基づいてデータ転送トリガを前記第２のコントローラによって生成する工程と、
前記データ転送トリガに基づいて前記第２の無線通信エレメントとの、データ・サブフレームの転送を行う工程とを含む方法。
【発明の詳細な説明】
【技術分野】
【０００１】
本開示は、一般に、移動通信ネットワークに関し、特に、パケットベースのリンク及び別々のクロック・ドメインにわたるタイミングの不確実性を低減させる方法及びシステムに関する。
【背景技術】
【０００２】
電気通信システム、ケーブル・テレビジョン・システム、及びデータ通信ネットワークは、市場及び消費者の需要により、一層高速になってきている。前述の通信システム、特に移動通信システムが、高速データ・レートに移行するにつれ、信号及び情報を送信し、受信するうえでのタイミング精度の要件も増加する。
【発明の概要】
【発明が解決しようとする課題】
【０００３】
本開示によれば、高速データ・レート通信システムのタイミング精度に関連した欠点及び問題点を減らすことができる。
【課題を解決するための手段】
【０００４】
本開示の一実施例によれば、無線通信エレメントは、トリガ値を示すデータ転送情報を生成するよう構成された第１のコントローラを備える。無線通信エレメントは、通信するよう第１のコントローラに結合された第２のコントローラを更に備える。第２のコントローラは、カウンタ値を増やすよう構成されたカウンタを備え、第１のコントローラからデータ転送情報を受信するよう構成される。第２のコントローラは、データ転送トリガに応じて第２の無線通信エレメントとのデータ転送を無線通信エレメントが開始するようなトリガ値にカウンタ値が対応すると、データ転送トリガを生成するよう更に構成される。
【図面の簡単な説明】
【０００５】
【図１】本開示の実施例による、例示的な無線通信システムを示すブロック図である。
【図２】例示的な送信エレメント及び／又は受信エレメントの選択された構成部分を示すブロック図である。
【図３】トリガ・カウンタ、及びトリガ・カウンタに関連付けられたタイミング・トリガを示す例示的なタイミング図である。
【図４】データ転送のタイミングの不確実性を低減させるよう構成された例示的なシステムを示す図である。
【図５】データ転送におけるタイミングの不確実性を低減させる方法を示す例示的なフロー図である。
【発明を実施するための形態】
【０００６】
本開示並びにその構成及び利点をより完全に理解するために、次に、添付図面とともに以下の明細書を参照する。
【実施例】
【０００７】
電気通信業界、特に無線通信業界は、データ伝送レートの増加を必要とする業界である。システムが高速データ・レートに移行するにつれ、通信装置（例えば、携帯電話機などの移動通信装置）内で時間クリティカルなイベント（例えば、データの送信及び受信）を行うためのコマンドの送信のタイミング精度の要件も増大し得る。
【０００８】
図１は、本開示の実施例による、例示的な無線通信システム１００のブロック図を示す。話を単純にするために、２つの端末１１０及び２つの基地局１２０のみを図１に示す。端末１１０は、遠隔局、移動局、アクセス端末、ユーザ機器（ＵＥ）、無線通信装置、セルラー電話機、又は他の用語としても表し得る。基地局１２０は固定局であり得、アクセス・ポイント、ノ―ドＢ、又は他の用語としても表し得る。移動通信制御局（ＭＳＣ）１４０は、基地局１２０に結合し得、基地局１２０の連係及び制御を提供し得る。
【０００９】
端末１１０は、衛星１３０から信号を受信することができてもできなくてもよい。衛星１３０は、周知の全地球測位システム（ＧＰＳ）などの衛星測位システムに属し得る。各ＧＰＳ衛星は、地球上のＧＰＳ受信器がＧＰＳ信号の到着時間を測定することを可能にする情報で符号化されたＧＰＳ信号を送信し得る。十分な数のＧＰＳ衛星の測定は、ＧＰＳ受信器の３次元の位置を正確に推定するために使用し得る。ブルートゥース（登録商標）送信器、無線フィデリティ（ワイファイ）送信器、無線ローカル・エリア・ネットワーク（ＷＬＡＮ）送信器、ＩＥＥＥ８０２．１１送信器、及び何れかの他の適切な送信器などの他のタイプの送信源からの信号を受信することもできる。
【００１０】
図１では、各端末１１０は、複数の送信源からの信号を同時に受信するものとして示しており、送信源は基地局１２０又は衛星１３０であり得る。本実施例では、端末１１０は送信源であってもよい。一般に、端末１１０は、何れかの特定の時点で、ゼロ個、１個、又は複数個の送信源から信号を受信し得る。
【００１１】
システム１００は、符号分割多元アクセス（ＣＤＭＡ）システム、時分割多元アクセス（ＴＤＭＡ）システム、又は他の無線通信システムであり得る。ＣＤＭＡシステムは、ＩＳ−９５、ＩＳ−２０００（一般に、「１ｘ」としても知られている）、ＩＳ−８５６（一般に、「１ｘＥＶ−ＤＯ」としても知られている）、ワイドバンドＣＤＭＡ（Ｗ−ＣＤＭＡ）等などの１つ又は複数のＣＤＭＡ標準を実現し得る。ＴＤＭＡシステムは、１つ又は複数のＴＤＭＡ標準（ジーエスエム（ＧＳＭ(登録商標)）など）を実現し得る。Ｗ−ＣＤＭＡ標準は、３ＧＰＰとして知られているコンソーシアムによって規定され、ＩＳ−２０００標準及びＩＳ−８５６標準は、３ＧＰＰ２として知られているコンソーシアムによって規定される。
【００１２】
多くの通信ネットワークでは、情報はデータ・パケット又は「バースト」で送信し得る。ユーザ間の同一チャネル干渉を最小にし、ネットワーク１００のシステム容量を最大にするために、端末１１０、基地局１２０、並びに衛星１３０間のデータ・パケットの送信及び受信は特定の時点に基づく。データ・パケットの送信及び受信に与えられる時間が少ないために、データ伝送レート（例えば、シンボル・レート）が増加するにつれ、パケットの送信及び受信のタイミングは、より正確になる必要があり得る。通信ネットワークにおけるデータの送信及び受信は併せて、データ転送又はデータ交換と表し得る。
【００１３】
例えば、ガウス最小偏移変調（ＧＭＳＫ）／ＧＳＭ進化型高速データ・レートのバーストは、ＧＭＳＫシンボル期間の１／４よりもよい必要があるタイミング精度で、割り当てられた時間スロット内で送信される必要があり得る。ＧＭＳＫシンボルの期間は３．７マイクロ秒（μｓ）であり、よって、割り当てられた時間スロット内の送信のタイミング精度は０．９２５μｓ（３．７μｓ／４）であり得る。対照的に、４Ｇ（第４世代）シンボル・レートは、特定の送信時間の０．０６５μｓ内にデータ・パケット送信のタイミング精度が収まらなければならないように、ＧＭＳＫ／ＥＤＧＥシンボル・レートよりもずっと高速であり得る。よって、情報をその指定された時間スロット内に、かつ、高速データ・レート・システムの狭いタイミング精度制約内で転送し得るようにタイミングの不正確性及び不確実性を低減させることが効果的であり得る。
【００１４】
システム１００の送信及び受信エレメント（例えば、端末１１０、基地局１２０、又は衛星１３０）によるデータ・パケットの転送（例えば、送信又は受信）のタイミングは、タイミング・トリガによって制御し得る。一部のシステムでは、タイミング・トリガはタイム・アキュレート（ｔｉｍｅ  ａｃｃｕｒａｔｅ）ストローブ（ＴＡＳ）を含み得る。システム１００の送信及び受信エレメント内に含まれる別々の構成部分からタイミング・トリガが転送されるにつれ、タイミングの不正確性及び不確実性が生じ得る。非同期クロック・ドメイン下で動作する別々の構成部分をタイミング・トリガが通過し、よって、非同期クロック・ドメイン転送がもたらされるにつれ、不確実性が生じ得る。更に、トリガが高速リンクを介して複数のシステム構成部分が転送されるにつれ、ビット誤りの発生率は増加し、よって、タイミング・トリガを損ない、潜在的にタイミングの不確実性をもたらし得る。
【００１５】
したがって、本開示によれば、システム１００の送信及び受信エレメント（例えば、端末１１０、基地局１２０、又は衛星１３０）は、パケットの送信又は受信を開始するタイミング・トリガのクロック・ドメイン転送の数を削減するか、なくすことにより、タイミングの不正確性を削減するよう構成し得る。以下に更に詳細に説明するように、システム１００の送信及び受信エレメントは、データ・パケットの参照サブフレームの転送によって起動されるカウンタにデータ・パケットのタイミング・トリガが基づくように構成し得る。参照サブフレームが送信又は受信されると、カウンタは、送信クロック・ドメイン内、又は受信クロック・ドメイン内で開始し得る。後続サブフレームの転送のためのタイミング・トリガはカウンタに基づき得、タイミング・トリガがクロック・ドメイン転送によって影響されないことがあり得るように、別のクロック・ドメインに転送されないことがあり得る。更に、タイミング・トリガのクロック・ドメイン転送の数を削減するか、又はなくすことにより、前述の転送によるビット・エラーも削減するか、又はなくし得る。よって、システム１００の送信及び受信エレメントは、ドメイン転送及びビット・エラーによるデータ転送のタイミングの不確実性を削減するか又はなくし得るように構成し得る。
【００１６】
図２は、本開示の実施例により、タイミングの不確実性を低減させるよう構成された、例示的な送信及び／又は受信エレメント２００（例えば、端末１１０、基地局１２０、又は衛星１３０）の選択された構成部分のブロック図を示す。エレメント２００は送信経路２０１及び／又は受信経路２２１を含み得る。エレメント２００の機能に応じて、エレメント２００は、送信器、受信器、又はトランシーバであるとみなし得る。
【００１７】
ディジタル回路２０２は、受信経路２２１を介して受信されるディジタル信号及び情報を処理するよう構成され、かつ／又は、送信経路２０１を介して送信されるための信号及び情報を処理するよう構成された何れかのシステム、デバイス、又は装置を含み得る。前述のディジタル回路２０２は、１つ又は複数のマイクロプロセッサ、ディジタル信号プロセッサ、及び／若しくは他の適切なデバイスを含み得る。以下に更に詳細に説明するように、ディジタル回路２０２、並びに、送信経路２０１及び受信経路２２１の構成部分は、１つ又は複数のクロック・ドメインを通過しないことがあり得るタイミング・トリガによるサブフレームを送信又は受信し得るように構成され、エレメント２００におけるタイミングの不確実性を低減させ得る。
【００１８】
送信経路２０１は、ディジタル・アナログ変換器（ＤＡＣ）２０４を含み得る。ＤＡＣ２０４は、ディジタル回路２０２からディジタル信号を受け取り、前述のディジタル信号をアナログ信号に変換するよう構成し得る。前述のアナログ信号は次いで、アップコンバータ２０８を含む、送信経路２０１の１つ又は複数の他の構成部分に転送され得る。
【００１９】
アップコンバータ２０８は、発振器２１０によって供給される発振器信号に基づいて、無線周波数における無線通信信号に、ＤＡＣ２０４から受け取られたアナログ信号を周波数アップコンバートするよう構成され得る。発振器２１０は、アナログ信号の無線通信信号への変調若しくはアップコンバートのために、又は無線通信信号のアナログ信号への復調又はダウンコンバートのために、特定の周波数のアナログ波形を生成するよう構成された何れかの適切なデバイス、システム、又は装置であり得る。一部の実施例では、発振器２１０は、ディジタル制御された水晶発振器であり得る。
【００２０】
送信経路２０１は、送信するために、アップコンバートされた信号を増幅するための可変利得増幅器（ＶＧＡ）２１４、及び、増幅信号ＶＧＡ２１４を受け取り、関心の帯域内の信号成分を通過させ、帯域外の雑音及び望ましくない信号を除去するよう構成された帯域通過フィルタ２１６を含み得る。帯域通過フィルタリングされた信号は、電力増幅器２２０によって受け取られ得、電力増幅器２２０では、前述の信号はアンテナ２１８を介して送信するために増幅される。アンテナ２１８は、増幅された信号を受け取り、前述の信号を（例えば、端末１１０、基地局１２０、及び／又は衛星１３０のうちの１つ又は複数に）送信し得る。
【００２１】
受信経路２２１は、アンテナ２１８を介して（例えば、端末１１０、基地局１２０、及び／又は衛星１３０から）無線通信信号を受信するよう構成された帯域通過フィルタ２３６を含み得る。帯域通過フィルタ２３６は、関心の帯域内の信号成分を通過させ、帯域外の雑音及び望ましくない信号を除去し得る。更に、受信経路２２１は、帯域通過フィルタ２３６から受け取られた信号を増幅するための低雑音増幅器（ＬＮＡ）２２４を含み得る。
【００２２】
受信経路２２１は更に、ダウンコンバータ２２８も含み得る。ダウンコンバータ２２８は、発振器２１０によって供給される発振器信号により、アンテナ２１８を介して受信され、ＬＮＡ２３５によって増幅された無線通信信号を周波数ダウンコンバートする（例えば、ベースバンド信号にダウンコーバートする）よう構成し得る。
【００２３】
関心の無線周波数チャネル内の信号成分を通過させ、かつ／又はダウンコンバート処理によって発生し得る雑音及び望ましくない信号を除去するために、ダウンコンバートされた無線通信信号をフィルタリングするよう構成され得るフィルタ２３８を更に含み得る。更に、受信経路２２１は、フィルタ２３８からアナログ信号を受け取り、前述のアナログ信号をディジタル信号に変換するよう構成されたアナログ・ディジタル変換器（ＡＤＣ）２２４を含み得る。前述のディジタル信号は次いで、処理するためにディジタル回路２０２に転送し得る。
【００２４】
送信経路２０１のＤＡＣ２０４、アップコンバータ２０８、及びＶＧＡ２１４と、受信経路２２１の発振器２１０及びＡＤＣ２２４、フィルタ２３８、ダウンコンバータ２２８、並びにＬＮＡ２３４が、無線周波数集積回路（ＲＦＩＣ）４０４に含まれ得る。ＲＦＩＣ４０４は更に、１つ又は複数のマイクロプロセッサ、ディジタル信号プロセッサ（ＤＳＰ）、マイクロコントローラ、及び／若しくは他の適切なデバイス（明示的に示していない）を含み得る。ＲＦＩＣ４０４は、エレメント２００の無線トランシーバとしてふるまい得、よって、信号を送信し、かつ／又は受信するようアンテナ２１８を起動させるよう構成し得る。
【００２５】
本実施例では、ディジタル回路２１２及びＲＦＩＣ４０４は、１つ又は複数のクロック・ドメインを通過しないことがあり得るタイミング・トリガによるサブフレームを送信又は受信し得、それにより、エレメント２００の回路２０２からアンテナ２１８までの送信経路２０１及び受信経路２２１におけるタイミングの不確実性を低減させ得る。本実施例では、ディジタル回路２０２は、エレメント２００の通信機能を処理するよう構成され、通信するようＲＦＩＣ４０４（明示的に示していない）に結合されたディジタル・ベースバンド集積回路（ベースバンドＩＣ）４０２を含み得る。ベースバンドＩＣ４０２は、１つ又は複数のマイクロプロセッサ、ディジタル信号プロセッサ（ＤＳＰ）、マイクロコントローラ、及び／又は他の適切なデバイスを備え得る。
【００２６】
例証の目的で、ベースバンドＩＣ４０２及びＲＦＩＣ４０４の動作は、特にパケット送信動作に関して説明し得る。しかし、同様の、又は類似した動作を、パケット受信などの何れかの他のタイプのデータ転送について行い得る。この例では、ベースバンドＩＣ４０２は、パケット送信情報をＲＦＩＣ４０４に送信するよう構成し得る。一部の場合、パケット送信情報は、パケット送信動作のためにＲＦＩＣ４０５を構成するために使用される構成情報を含み得る。他の場合には、パケット送信情報は、ＴＡＳに関連付けられた構成情報がＲＦＩＣ４０４に送出された後に送信されたタイミング・アキュレート・ストローブ（ＴＡＳ）などのタイミング・トリガを含み得る。
【００２７】
ＲＦＩＣ４０４は、ベースバンドＩＣ４０２から受け取られた送信情報に基づいて、アンテナ２１８を介した、エレメント２００（例えば、端末１１０）と別のトランシーバ・エレメント（例えば、基地局１２０）との間のデータ・パケットの伝送を開始させるよう構成し得る。ＲＦＩＣ４０４は、ベースバンドＩＣ４０２から構成情報を受け取り得、よって、構成情報に基づいてデータ・パケット（例えば、データのサブフレーム）を送信するよう構成し得る。構成情報は更に、サブフレームを送信するとトリガ・カウンタを開始させるようＲＦＩＣ４０４に導き得る。トリガ・カウンタの開始に対応するサブフレームは参照サブフレームとして表し得、参照サブフレームに関連付けられた構成情報は参照構成情報と表し得る。
【００２８】
ＲＦＩＣ４０４は、更に、参照サブフレームの送信をトリガするためのタイミング・トリガ（例えば、ＴＡＳ）をベースバンドＩＣ４０２から受け取り得る。参照サブフレームに対応する前述のタイミング・トリガは、「参照トリガ」と表し得る。参照トリガを受け取ると、ＲＦＩＣ４０４は参照サブフレームを送信し、トリガ・カウンタを開始し得る。参照トリガのクロック・ドメイン転送に対応するタイミングの不正確性により、参照トリガがベースバンドＩＣ４０２からＲＦＩＣ４０４に送信されるにつれ、かつ、参照トリガがＲＦＩＣ４０４の種々の構成部分を通過するにつれ、参照サブフレームの送信タイミングもタイミングの不確実性を有し得る。しかし、参照サブフレーム後に送信されるサブフレーム（「後続サブフレーム」）の送信のタイミング・トリガは、ベースバンドＩＣ４０２から受信された後続サブフレームの送信に関連付けられたトリガ・カウンタ及び構成情報に基づき得る。
【００２９】
トリガ・カウンタは、ＲＦＩＣ４０４の送信クロック・ドメイン内にあり得、よって、データ送信のタイミング・トリガは複数のクロック・ドメインを通過しないことがあり得、よって、タイミングの不確実性が削減され得る。更に、ＲＦＩＣ４０４は、後続サブフレームを送出すべき時点より前にベースバンドＩＣ４０２から後続フレームの構成情報を受け取り得る。よって、構成情報の受信は、それほど時間クリティカルでないことがあり得、よって、構成情報の受け取りに関連付けられたタイミングの不確実性の影響は、最小又はゼロであり得る。
【００３０】
トリガ・カウンタは、スロット及びシンボル境界の追跡を容易にするよう送信サンプリング・レート（例えば、４Ｇシステムにおいては３０．７２メガヘルツ（ＭＨｚ））で増加させるよう構成し得る。トリガ・カウンタは送信サンプリング・レートで増加し、各増加単位間の時間量（「増加期間」と表される）は各サンプル間の時間量（「サンプル期間」と表される）に対応し得る。トリガ・カウンタは、特定のサブフレームに対応するサンプルの数までカウントした後、リセットし、次いで、カウントを再開するよう構成し得る。トリガ・カウンタは、よって、トリガ・カウンタが、サンプルがとられる都度、増加し、サブフレームに対応する数のサンプルがとられた後にリセットすることによる、サブフレームの送信時間スロットに基づき得る。
【００３１】
例えば、３０．７２ＭＨｚのサンプリング・レートでは、ゼロで始まり、上記サンプリング・レートで増加する、カウンタのカウンタ値３０７１９は、４Ｇシステムにおける１サブフレームに対応し得る。したがって、４Ｇシステムでは、トリガ・カウンタは、カウンタが３０７１９に達した後、ゼロにリセットし、次いで、再び３０７１９までカウントし始め得る。
【００３２】
更に、トリガ・カウンタは、エレメント２００が起動された場合、エレメント２００が適応不連続受信（ＤＲＸ）サイクルを経る場合、又は上記カウンタをリセットするようベースバンドＩＣ４０２がＲＦＩＣ４０４に指示する場合に、リセット（例えば、「０」にセット）され得る。一部の場合、ベースバンドＩＣ４０２は、別々のネットワークにおけるクロック・レートが異なることにより、２Ｇ又は３Ｇのネットワークから４Ｇネットワークのハンドオーバ中にカウンタをリセットするようＲＦＩＣ４０４を導き得る。前述の場合、カウンタは、参照サブフレームの送信により、そうするよう起動されるまで、カウントを開始しないことがあり得る。
【００３３】
ベースバンドＩＣ４０２から受け取られ、後続サブフレームに関連付けられた構成情報は、後続サブフレームをカウンタ・サイクル中のどこで送出すべきであるかを示すタイミング調節情報を含み得る。タイミング調節情報はカウンタ値に対応し得、タイミング調節情報に対応する値にカウンタが達すると、ＲＦＩＣ４０４は、後続サブフレームを送信するためのタイミング・トリガを生成し得る。トリガ・タイマに基づいたタイミング・トリガは「タイミング・アキュレート・トリガ」としても表し得る。上記トリガは、他のトリガのタイミングの不確実性を有していないことがあり得るからである。
【００３４】
例えば、タイミング調節情報は、カウンタ値がゼロ「０」である場合に後続サブフレームを送出すべきである旨を示し得る。したがって、カウンタ値が「０」に達すると、ＲＦＩＣ４０４はタイミング・トリガを生成するよう構成され得る。この例では、上記カウンタはサブフレームの送信時間に対応し、カウンタが「０」であることに対応するタイミング・トリガは「オンタイム（ｏｎ−ｔｉｍｅ）」送信に対応し得る。「オンタイム」という用語は、単に、サブフレームのスロット及びシンボル境界に応じて送出し得る送信を示し得る。一部の場合、「オンタイム」より早く、又は「オンタイム」より遅くサブフレームを送信することが効果的であり得る。これは、タイミングにおける先行又はタイミングにおける遅延として表し得る。カウンタ値に関連付けられたタイミング調節は、遅延又は先行を伴って、後続サブフレームを「オンタイム」で送信し得るように適宜調節し得る。送信されたサブフレームを受信するエレメントとの距離が変わり得る状況では、タイミング調節が効果的であり得る。例えば、エレメント２００は、エレメント２００と基地局との間の距離が変わり得るように、移動している（例えば、車で走行している）間に基地局に送信する端末１１０を含み得る。
【００３５】
図３は、トリガ・カウンタ３００、及びトリガ・カウンタ３００に関連付けられたタイミング・トリガの例示的なタイミング図を示す。タイミング図は、参照タイミング・トリガ３０４、「オンタイム」タイミング・アキュレート・トリガ３１６、遅延タイミング・アキュレート・トリガ３１２、及び先行タイミング・アキュレート・トリガ３０８を含み得る。
【００３６】
トリガ・カウンタ３００はＲＦＩＣ４０４に含まれ得る。一部の実施例では、トリガ・カウンタ３００は、ＲＦＩＣ４０４に関連付けられたエレメント２００により、サブフレームの送信のタイミングを制御するよう構成された送信トリガ・カウンタを含み得る。他の実施例では、トリガ・カウンタ３００は、ＲＦＩＣ４０４に関連付けられたエレメント２００により、サブフレームの受信のタイミングを制御するよう構成された受信トリガ・カウンタを含み得る。この例では、動作は、送信サブフレームのタイミングに関して説明しているが、何れかの他の適切なデータ転送（例えば、受信サブフレーム）のタイミングを制御するために同様の、又は類似した動作を行い得る。
【００３７】
この例では、トリガ・カウンタ３００は、３０．７２ＭＨｚのサンプリング・レートの４Ｇネットワークに応じて構成し得る。更に、ネットワークの各サブフレームは３０，７２０サンプルに対応し得る。よって、カウンタ３００は、３０．７２ＭＨｚで増加するよう構成され得、０から３０７１９に増加し得、３０７１９に達した後、０にリセットし、再びカウントし始め得る。
【００３８】
時間ｔ０では、ＲＦＩＣ４０４は、ベースバンドＩＣ４０２によって指示されるようにトリガ・カウンタ３００をリセットし得る。上述の通り、ベースバンドＩＣ４０２は、電源オン、ＤＲＸサイクル、又は別の理由でトリガ・カウンタ３００をリセットするようＲＦＩＣ４０４を導き得る。ＲＦＩＣ４０４によってリセットされた後、カウンタ３００は、そうするよう示されるまでカウントを開始しないことがあり得る。時間ｔ１では、ＲＦＩＣ４０４は、ベースバンドＩＣ４０２から参照構成情報３０２を受信し得る。ＲＦＩＣ４０４はよって、参照サブフレームを送信するよう準備し得る。
【００３９】
時間ｔ２では、ＲＦＩＣ４０４は、ベースバンドＩＣ４０２から参照トリガ３０４を受け取り得る。一部の実施例では、参照トリガ３０４はＴＡＳを含み得る。時間ｔ２で参照トリガ３０４を受け取ると、ＲＦＩＣ４０４はトリガ・カウンタ３００を起動させ得る。ＲＦＩＣ４０４は、ＲＦＩＣ４０４に関連付けられたトランシーバ・エレメントが時間ｔ２で参照サブフレームを送信することを可能にし得る。この例では、ＲＦＩＣ４０４に関連付けられたトランシーバ・エレメントはハンドヘルド端末（例えば、端末１１０）を含み得、時間ｔ２ではエレメントは参照サブフレームを基地局（例えば、基地局１２０）に参照トリガ３０４に基づいて送信し得る。
【００４０】
時間ｔ３では、送信されるサブフレームのスロット時間とトリガ・カウンタ３００が対応し得るように３０７１９に達した後にトリガ・カウンタ３００は「０」にリセットし得る。
【００４１】
時間ｔ４では、ＲＦＩＣ４０４は、送信する対象の後続サブフレームに関連付けられた後続構成情報３０６をベースバンドＩＣ４０２から受け取り得る。構成情報３０６は、構成情報３０６に関連付けられた後続サブフレームを、先行タイミングで送信すべきことを示すタイミング調節情報を含み得る。
【００４２】
ベースバンドＩＣ４０２は、ベースバンドＩＣ４０２に関連付けられたトランシーバ・エレメントからサブフレームを受け取るトランシーバ・エレメント（例えば、基地局１２０）から受け取る情報に部分的に基づいてタイミング調節情報に関する構成情報を生成し得る。例えば、上述のように、時間ｔ２では、参照サブフレームは基地局（例えば、基地局１２０）に送出し得、基地局は、期待された時間よりも後に参照サブフレームを受け取り得る。サブフレーム・スロット時間内の参照サブフレームのタイミングが２サブフレーム・サンプルだけ遅かったということを基地局はベースバンドＩＣ４０２に伝え得る。参照トリガ３０４に関連付けられたタイミングの不確実性、トランシーバ・エレメントが基地局から離れること、別の要因、又はそれらの何れかの組み合わせにより、参照サブフレームは遅れて、基地局に到着し得る。よって、ベースバンドＩＣ４０２は、後続サブフレームの送信のタイミングを２サンプル期間だけ、先行させるべきである旨を示すタイミング調節情報とともに構成情報３０６をＲＦＩＣ４０４に送出し得る。
【００４３】
時間ｔ５では、構成情報３０６に基づいて、ＲＦＩＣ４０４は、トリガ・カウンタが「０」になる「オンタイム」送信よりも早い（２サンプル期間に対応する）２増加単位であり得る「３０７１８」にカウンタがある場合に先行タイミング・アキュレート・トリガ３０８を生成し得る。タイミング・アキュレート・トリガ３０８に基づいて、ＲＦＩＣ４０４は、時間ｔ５で、構成情報３０６に関連付けられた後続サブフレームをトランシーバ・エレメントが送信することを可能にし得る。
【００４４】
時間ｔ６では、ＲＦＩＣ４０４は、別の後続サブフレームに関連付けられた構成情報３１０をベースバンドＩＣ４０２から受け取り得る。後続構成情報３１０は、構成情報３１０に関連付けられたサブフレームを遅延させるべきである旨を示すタイミング調節情報を含み得る。
【００４５】
基地局は、時間ｔ５で送出されたサブフレームが、（例えば、トランシーバ・エレメントが基地局に近付いていることにより、）期待したより早く受け取られたと判定し得、ベースバンドＩＣ４０２によって受け取られたメッセージにその旨を示し得る。よって、ベースバンドＩＣ４０２は、後続サブフレームの送信タイミングを遅延させるべきである旨を示す構成情報３１０をＲＦＩＣ４０４に送出し得る。この例では、構成情報３１０は、後続サブフレームを１サンプル期間だけ遅延させるべきである旨を示す調節データを含み得る。よって、時間ｔ７で、ＲＦＩＣ４０４は、トリガ・カウンタが「０」になる「オンタイム」送信よりも遅い（１サンプル期間に対応する）１増加単位であり得る「１」にカウンタがある場合に遅延タイミング・アキュレート・トリガ３１２を生成し得る。タイミング・アキュレート・トリガ３１２に基づいて、ＲＦＩＣ４０４は、時間ｔ７で、構成情報３１０に関連付けられた後続サブフレームをエレメント２００が送信することを可能にし得る。
【００４６】
時間ｔ８で、ベースバンドＩＣ４０２は構成情報３１４をＲＦＩＣ４０４に送信し得る。構成情報３１４は、構成情報３１４に関連付けられた後続サブフレームを「オンタイム」に送出し得る旨を示す調節データを含み得る。構成情報３０６及び３１０と同様に、ベースバンドＩＣ４０２は、ベースバンドＩＣ４０２及びＲＦＩＣ４０４に関連付けられたトランシーバ・エレメントからデータを受け取る基地局又は何れかの他のトランシーバ・エレメントから受け取られた情報に応じて調節データを判定し得る。
【００４７】
時間ｔ９で、ＲＦＩＣ４０４は、「オンタイム」送信を示す調節データに基づいてカウンタ３００が「０」である場合に「オンタイム」タイミング・アキュレート・トリガ３１６を生成し得る。タイミング・アキュレート・トリガ３１６に基づいて、ＲＦＩＣ４０４は、時間ｔ９で、構成情報３１４に関連付けられた後続サブフレームをエレメント２００が送信することを可能にし得る。
【００４８】
本開示の範囲から逸脱しない限り、修正、追加、又は割愛を図３に対して行い得る。例えば、サブフレーム毎のタイミング調節は、描いているものよりも大きくても小さくてもよい。更に、説明したものと異なるタイミング調節を有するトランシーバ・エレメントから、より多くのサブフレーム、又はより少ないサブフレームを送信し得る。更に、上記例は、サブフレーム送信のタイミングに関する動作を説明しているが、サブフレーム受信のタイミングに関しても同様の動作及び方法を使用し得る。更に、この例は、基地局にサブフレームを送信する端末を含むトランシーバ・エレメントについて説明しているが、上記動作及び方法を、データ転送タイミングの不確実性を低減させるための如何なる適切な通信システムにおいても使用し得る。
【００４９】
図４は、データの送信及び受信のタイミングの不確実性を低減させるよう構成された例示的なシステム４００を示す。システム４００は、タイミングの不確実性を低減させるための何れの適切なシステム、装置又はデバイスにおいても実現し得る。システム４００は、図２のエレメント２００などの、通信ネットワークの送信エレメント、受信エレメント、又はトランシーバ・エレメントにおいて実現し得る。システム４００は、タイミングの不確実性を低減させるうえで効果的であり得る何れの適切なネットワーク又はシステムにおいても実現し得る。この例では、システム４００の動作は、信号の送信のタイミングの制御に関して説明しているが、システム４００と同様なシステムは、信号の受信などの何れかの他のデータ転送のタイミングも制御するよう構成し得る。
【００５０】
システム４００はベースバンドＩＣ４０２及びＲＦＩＣ４０４を含み得る。ベースバンドＩＣ４０２及びＲＦＩＣ４０４はそれぞれ、図２及び図３に関して説明したディジタル回路２０２のベースバンドＩＣ４０２及びＲＦＩＣ４０４と同じ機能を有し得る。ベースバンドＩＣ４０２は、タイミング・アキュレート・ストローブ（ＴＡＳ）などのタイミング・トリガ及び構成情報を含むパケット送信情報をＲＦＩＣ４０４に送出するよう構成し得る。
【００５１】
ＲＦＩＣ４０４は、ＲＦＩＣ４０４とベースバンドＩＣ４０２との間のインタフェースとしてふるまうよう構成された集積回路インタフェース４０６を含み得る。ＲＦＩＣ４０４は、更に、ベースバンドＩＣ４０２からＲＦＩＣ４０４によって受け取られた命令に応じて制御信号を生成するよう構成された制御装置４０８も含み得る。
【００５２】
ＲＦＩＣ４０４は、更に、送信クロックで動き、よって、送信クロック・ドメイン４１０内にある構成部分を含み得る。送信クロック・ドメイン４１０内のＲＦＩＣ４０４の構成部分は、同期化装置４１２、トリガ・カウンタ４１４、調節レジスタ４１６、コンパレータ４１８、ＡＮＤゲート４２０、及びマルチプレクサ（ＭＵＸ）４２２を含み得る。以下に更に詳細に説明するように、制御装置４０８は、データ（例えば、サブフレーム）の送信の正確なタイミングが実現され得るように、送信クロック・ドメイン４１０内に含まれる構成部分の動作を制御するよう構成し得る。
【００５３】
明示的に示していないが、ＲＦＩＣ４０４は、ＲＦＩＣ４０４に関連付けられたトランシーバ・エレメントにより、データ受信に関連付けられた受信クロック・ドメインも含み得る。受信クロック・ドメインは、送信クロック・ドメイン４１０と実質的に同様であり得、制御装置４０８から受け取られた命令に応じてトランシーバ装置によるデータ受信のタイミングをより正確に制御するよう同様に構成されたトリガ・カウンタ、調節レジスタ、コンパレータ、ＡＮＤゲート、及びマルチプレクサを含み得る。
【００５４】
ＲＦＩＣ４０４は、集積回路（ＩＣ）インタフェース４０６で、ベースバンドＩＣ４０２からパケット送信情報を受け取るよう構成し得る。ＩＣインタフェース４０６は、ベースバンドＩＣ４０２とＲＦＩＣ４０４との間のデータ送信の標準化手段を提供するよう構成された構成部分を含み得る。例えば、構成インタフェース４０６は、ＤｉｇＲＦ  ３Ｇインタフェース、ＤｉｇＲＦ  ｖ４インタフェース、又は両方などのモバイル・インダストリ・プロセッサ・インタフェース（ＭＩＰＩ）アライアンスによる技術仕様を有するインタフェースを含み得る。ＩＣインタフェース４０６は、ベースバンドＩＣとは別のクロック・ドメインで動作し得る。したがって、ベースバンドＩＣ４０２からＩＣインタフェース４０６に転送される何れかのタイミング・トリガ（例えば、ＴＡＳ）は、タイミング・トリガに対してタイミングの不確実性をもたらし得る１つ又は複数のタイミング再同期化を必要とし得る。
【００５５】
ＩＣインタフェース４０６は、ＲＦＩＣ４０４にやはり含まれる制御装置４０８に結合し得る。ＩＣインタフェース４０６は、ベースバンドＩＣ４０２から受け取られた送信情報を制御装置４０８に送出し得る。制御装置４０８及びＩＣインタフェース４０６は、更に、ＩＣインタフェース４０６及び制御装置４０８からのタイミング・トリガの転送中にタイミングの不確実性が生じ得るように別個のクロック・ドメイン上で機能し得る。
【００５６】
制御装置４０８は、情報のサブフレームの送信に関する一連の制御信号を生成するよう、受け取られた送信情報に含まれる情報を処理し得る。制御装置４０８は、ＲＦＩＣ４０４の他の構成部分（例えば、カウンタ４１４、調節レジスタ４１６、ＡＮＤゲート４２０、及びＭＵＸ４２２）に、制御装置４０８が前述の構成部分の動作を制御し得るように結合し得る。一部の場合、制御装置４０８は、ベースバンドＩＣ４０２によって生成され、ＩＣインタフェース４０６を介して制御装置４０８に送信される送信情報に含まれる命令に応じて構成部分の動作を制御し得る。
【００５７】
制御装置４０８は、通信するよう、ＲＦＩＣ４０４に含まれる送信クロック・ドメイン４１０内に含まれる構成部分に結合し得る。制御装置４０８は、通信するよう、同期化装置４１２を介して、トリガ・カウンタ４１４、調節値レジスタ４１６、ＡＮＤゲート４２０、及びＭＵＸ４２２に結合し得る。
【００５８】
制御装置４０８は、送信クロック・ドメイン４１０とは別のクロック・ドメインで動作し得る。したがって、同期化装置４１２は、制御装置４０８から制御信号を受け取り、前述の信号を送信クロック・ドメインと同期化させるよう構成された何れかの適切なシステム、装置、又はデバイスを備え得る。同期化装置４１２は、通信するよう、制御装置４０８及びトリガ・カウンタ４１４、調節レジスタ４１６、ＡＮＤゲート４２０、並びにマルチプレクサ４２２の間に、制御信号が同期化装置４１２を介して制御装置４０８から前述の構成部分に流れ得るように結合し得る。
【００５９】
トリガ・カウンタ４１４は、特定のレート（例えば、４Ｇシステムにおける３０．７２ＭＨｚのサンプリング・レート）でカウンタ値を増加させ、特定の値に達した後、リセットし、再び、カウントし始めるよう構成された何れかの適切なカウンタを含み得る。一部の実施例では、トリガ・カウンタ４１４は、サブフレームに関連付けられたサンプルの数までカウントし、その数までカウントした後にリセットし、他の指示（例えば、「０」から「３０７１９」までカウントし、次いで、「０」に戻り、繰り返す）がない限り、これを繰り返すよう構成し得る。
【００６０】
トリガ・カウンタ４１４は、制御装置４０８から「リセット」コマンドを受け取るとゼロにリセットするよう構成し得る。制御装置４０８は、トランシーバ・エレメントが起動された場合、トランシーバ・エレメントがＤＲＸサイクルを経た場合、又はＩＣインタフェース４０６を介してベースバンドＩＣ４０２からの指示を受け取り、リセットを必要とする場合に、「リセット」コマンドを生成し、送信し得る。更に、トリガ・カウンタ４１４は、制御装置４０８からの開始コマンドを受け取るとカウントし始めるよう構成し得る。制御装置４０８は、ベースバンドＩＣ４０２から参照トリガ（例えば、図３の参照トリガ３０４）を受け取ると開始コマンドを生成し得る。
【００６１】
調節値レジスタ４１６は、値を受け取り、前述の値を記憶し、値を出力するよう構成された何れかの適切なシステム、装置又はデバイスを備え得る。調節レジスタ４１６は、タイミング・アキュレート・トリガを送出すべき時点に関連付けられたカウンタ値に一致する値を記憶するよう構成し得る。タイミング・アキュレート・トリガを送出すべき時点に関連付けられたカウンタ値は、「トリガ値」として表し得る。例えば、参照サブフレームに続くサブフレーム（後続サブフレーム）の「オンタイム」送信の場合、トリガ値は「０」であり得る。したがって、調節レジスタ４１６は、トリガ値に一致させるよう「０」を記憶し、出力し得る。
【００６２】
制御装置４０８は、ベースバンドＩＣ４０２から受け取られる、後続サブフレームに関連付けられた構成情報（例えば、図３の構成情報３０６、３１０、及び３１４）に含まれるタイミング調節情報に応じて適切なトリガ値を調節レジスタ４１６に送出するよう構成し得る。
【００６３】
例えば、「オンタイム」トリガを示すタイミング調節情報を受け取ると、制御装置４０８は、カウンタ４１４が「０」である場合にタイミング・トリガを送出すべきである旨を示す、「０」のトリガ値を調節レジスタ４１６に送出し得る。別の例として、１サンプル期間だけの送信遅延を示すタイミング調節情報を受け取ると、制御装置４０８は、カウンタ４１４が「１」である場合にタイミング・トリガを送出すべきである旨を示すトリガ値「１」を調節レジスタ４１６に送出し、よって、１増加単位又はサンプル期間だけ、トリガ・タイミングを遅延させ得る。更なる例として、（４Ｇシステムの例示的な構成において）２サンプル周期だけの送信先行を示すタイミング調節情報を受け取ると、制御装置４０８は、カウンタ４１４が「３０７１８」である場合にタイミング・トリガを送出すべきである旨を示すトリガ値「３０７１８」を調節レジスタ４１６に送出し、よって、２増加単位又はサンプル期間だけ、トリガ・タイミングを先行させ得る。
【００６４】
コンパレータ４１８は、通信するよう、カウンタ４１４及び調節レジスタ４１６に結合し得、カウンタ４１４からカウンタ値を受け取り、調節レジスタ４１６からトリガ値を受け取るよう構成し得る。コンパレータ４１８は、カウンタ値及びトリガ値を比較し、２つの値が一致すると信号を送信するよう構成された何れかの適切なシステム、装置、又はデバイスを含み得る。例えば、「オンタイム」トリガの場合、トリガ値は「０」であり得、コンパレータ４１８は「０」をカウンタ４１４の値と比較し得る。カウンタ値がトリガ値に一致するようにカウンタ４１４が「０」に達した場合、コンパレータ４１８の出力はそのことを示すようにセットされるか、又は「ＨＩＧＨ」になり得る。トリガ値及びカウンタ値が等しくないようにカウンタ値が変わる場合、コンパレータはそのことを示すように「セットされない」か、又は「ＬＯＷ」になり得る。トリガ値及びカウンタ値が等しい場合にコンパレータ４１８によって送出される信号はタイミング・アキュレート・トリガを含み得る。
【００６５】
コンパレータ４１８は、通信するよう、コンパレータ４１８の出力がＡＮＤゲート４２０の入力端子４１９ａで受け取られるように、ＡＮＤゲートに通信可能に結合され得る。ＡＮＤゲート４２０の入力端子４１９ｂは、通信するよう、同期化インタフェース４２０を介して制御装置４０８に結合され得、制御装置４０８から制御を受け取るよう構成し得る。制御装置４０８は、タイミング・アキュレート・トリガが適切な時点で送出されることをＡＮＤゲート４２０が確実にし得るように入力端子４１９ｂを介してＡＮＤゲート４２０の動作を制御するよう構成され得る。
【００６６】
一部の場合、カウンタ４１４は、その表示された数までカウントし続け、リセットし、再度前述の数までカウントし、繰り返し得る。調節値レジスタ４１６は、カウンタ４１４がトリガ値に達する都度、ＡＮＤゲート４２０の端子４１９ａに送出されるトリガをコンパレータ４１８が生成し得るようにトリガ値を出力し続け得る。しかし、カウンタ４１４がトリガ値に達する都度、データを送信するのは適切でないことがあり得る。よって、ＡＮＤゲート４２０及び制御装置４０８は、タイミング・アキュレート・トリガが適切な時点で送信されるように構成し得る。
【００６７】
この例では、送信される対象のサブフレームを予期して構成情報を受け取ると、制御装置４０８は、制御信号を生成し、その信号をＡＮＤ４２０の端子４１９ｂに送信し、よって、入力端子４１９ｂが「ＨＩＧＨ」にセットされるように構成し得る。したがって、コンパレータ４１８の出力が「ＨＩＧＨ」になるようにカウンタ値及びトリガ値が同じである場合、入力端子４１９ａも「ＨＩＧＨ」になり得る。入力端子４１９ａ及び４１９ｂが何れも「ＨＩＧＨ」にセットされると、ＡＮＤゲート４２０の出力は「ＨＩＧＨ」にセットされ得、タイミング・アキュレート・トリガはＡＮＤゲート４２０を通過し得る。本実施例では、制御装置４０８は、早く送出されるタイミング・トリガの形式で「ＨＩＧＨ」信号を入力ポート４１９ｂに送出し得る。一部の実施例では、タイミング・トリガは、ベースバンドＩＣ４０２からタイミング・トリガを受け取ると、制御装置４０８から送信されるタイミング・トリガと同じ制御線に沿って送出し得る。
【００６８】
構成情報及びタイミング・アキュレート・トリガに関連付けられたデータがセットされた後、制御装置４０８は、端子４１９ｂを「ＬＯＷ」にセットする別の制御信号を入力端子４１９ｂに送出し得る。したがって、コンパレータ４１８の出力が「ＨＩＧＨ」になり、これにより、端子４１９ａを「ＨＩＧＨ」にし得る場合、データ送信が適切でないと、ＡＮＤゲート４２０の出力は「ＬＯＷ」になり得、これは、不適切な時点におけるデータ送信を阻止し得る。
【００６９】
ＡＮＤゲート４２０の出力は、通信するよう、ＭＵＸ４２２の入力端子４２１ａに結合し得る。制御装置４０８は、通信するよう、ベースバンドＩＣ４０２から受け取られたタイミング・トリガ（例えば、参照トリガ）に基づいて制御装置４０８によって送信されたタイミング・トリガが入力端子４２１ｂで受け取られるようにＭＵＸ４２２の入力端子４２１ｂに結合し得る。したがって、ＭＵＸ４２２は、端子４２１ａにおいてＡＮＤゲート４２０からタイミング・アキュレート・トリガを受け取り、端子４２１ｂにおいて制御装置４０８からの、参照トリガなどの他のタイミング・トリガを受け取るよう構成し得る。
【００７０】
ＭＵＸ４２２は、ＡＮＤゲート４２０からタイミング・アキュレート・トリガを出力し、又は制御装置４０８からタイミング・トリガを出力するよう構成し得る。制御装置４０８は、通信するよう、選択線４２３においてＭＵＸ４２２に結合し得、ＭＵＸ４２２は、選択線４２３において制御装置４０８から受け取られた制御信号に応じて、入力端子４２１ａにおいて受け取られた信号の出力と、入力端子４２１ｂにおいて受け取られた信号の出力との間で選択するよう構成し得る。したがって、ＭＵＸ４２２は、ＡＮＤゲート４２０から入力端子４２１ａで受け取られたタイミング・アキュレート・トリガ、又は、制御装置４０８から入力端子４２１ｂで受け取られた他のタイミング・トリガ（例えば、参照トリガ）を出力するよう構成し得る。
【００７１】
例えば、参照サブフレームに関連付けられた構成情報（図３の構成情報３０２）を受け取ると、ベースバンドＩＣ４０２から参照トリガを受け取ると参照サブフレームを送信し得る旨を制御装置４０８は判定し得る。上述の通り、送信はベースバンドＩＣ４０２からの参照トリガに基づき得る。カウンタ４１４がまだ起動されていないことがあり得るからである。したがって、制御装置４０８は、入力端子４２１ｂで受け取られた信号を出力すべきである旨を示す制御信号を選択線４２３に送出し得る。したがって、ＭＵＸ４２２が参照トリガを制御装置４０８から受け取るとＭＵＸ４２２は参照トリガを出力し得、トランシーバ・エレメントは参照トリガに基づいてデータ送信を開始し得る。
【００７２】
この実施例では、入力ポート４１９ｂ及び４２１ｂで同じ制御信号が受け取られるように、制御装置４０８は同じ制御線における入力ポート４１９ｂ及び４２１ｂに結合し得る。しかし、この開示はそうした構成に限定されるべきでない。別の実施例では、制御装置４０８は一制御線を介してＡＮＤゲート４２０の入力ポート４１９ｂに結合し得、制御装置４０８は別の制御線を介してＭＵＸ４２２の入力ポート４２１ｂに結合し得る。
【００７３】
別の例として、カウンタ４１４が起動された後に送信する対象のサブフレーム（例えば、後続サブフレーム）に関連付けられた構成情報を受け取ると、制御装置４０８は制御信号を選択線４２３に送出し得る。制御信号は、入力端子４２１ａで受け取られた信号を出力すべきである旨を示し得る。したがって、ＭＵＸ４２２が、入力端子４２１ａにおいてＡＮＤゲート４２０からタイミング・アキュレート・トリガを受け取ると、ＭＵＸ４２２はタイミング・アキュレート・トリガを出力し得、トランシーバ・エレメントはタイミング・アキュレート・トリガに基づいてデータ送信を開始し得る。
【００７４】
本開示の範囲から逸脱しない限り、修正、追加、又は割愛をシステム４００に対して行い得る。例えば、一部の実施例はＡＮＤゲート４２０を含まないことがあり得、制御装置４０８は、選択線４２２を介してＭＵＸ４２２の出力を制御することにより、コンパレータ４１８からのタイミング・トリガの不適切な送信を阻止するよう構成し得る。更に、特定の機能を実施する特定の構成部分を説明しているが、本明細書及び特許請求の範囲記載の１つ又は複数の動作を行うための何れかの適切な構成部分を使用し得る。更に、上述の通り、明示的に示していないが、システム４００に関連付けられたトランシーバ・エレメントは、トランシーバ・エレメントにより、デ―タ受信のタイミングを制御するよう構成された同様なシステムも含み得る。更なるベースバンドＩＣ４０２及びＲＦＩＣ４０４は、描かれているよりも多くの構成部分を含んでいてもよく、描かれているよりも少ない構成部分を含んでいてもよい。例えば、ＲＦＩＣ４０４は、図２に示すようなＤＡＣ２０４、アップコンバータ２０８，ＶＧＡ２１４、発振器２１０、ＡＤＣ２２４、フィルタ２３８、ダウンコンバータ２２８、及びＬＮＡ２３４も含み得る。
【００７５】
図５は、データ送信及び受信におけるタイミングの不確実性を低減させる方法５００の例示的なフロー図を示す。説明の目的で、方法５００は、データ送信のタイミングに関して説明しているが、データ受信のタイミングの制御において同様な工程を行い得る。更に、方法５００は、命令を受け取り、当該機能に応じて動作を行い得る何れかの適切なシステム、装置、又はデバイスによって行い得る。
【００７６】
本実施例では、方法５００は、有形のコンピュータ読み取り可能な媒体において実施されたソフトウェア、ファームウェア、又は他のロジックにおいて部分的に、若しくは全面的に実現し得る。本開示記載の「有形のコンピュータ読み取り可能な媒体」は、一定期間の間、データ及び／又は命令を保持し得る何れかの手段、又は手段の集合体を意味する。有形のコンピュータ読み取り可能な媒体は、限定なしで、ランダム・アクセス・メモリ（ＲＡＭ）、リードオンリ・メモリ（ＲＯＭ）、電子的に消去可能なプログラマブル・リード・オンリ・メモリ（ＥＥＰＲＯＭ）、ＰＣＭＣＩＡカード、フラッシュ・メモリ、直接アクセス記憶装置（例えば、ハード・ディスク・ドライブ、フロッピー（登録商標）・ディスク）、シーケンシャル・アクセス記憶装置（例えば、テープ・ディスク・ドライブ）、コンパクト・ディスク、ＣＤ−ＲＯＭ、ＤＶＤ、揮発性／不揮発性メモリ、物理記憶リソース、及び仮想記憶リソースを含み得る。
【００７７】
この例では、方法５００は、通信するよう、メモリに結合されたプロセッサを有する集積回路によって行われ得、プロセッサは、メモリに記憶された命令に応じて動作を行うよう構成し得る。集積回路は、通信するようプロセッサに結合され、プロセッサによって受け取られた命令によって動作を行うよう構成された構成部分も含み得る。この例では、方法５００は、無線通信ネットワークのトランシーバ・エレメントのＲＦＩＣによって行い得る。
【００７８】
方法５００は、工程５０２で開始し得、工程５０２では、ＲＦＩＣはベースバンドＩＣから参照構成情報を受け取り得る。工程５０４で、ＲＦＩＣは、参照構成情報に基づいて参照サブフレームを送出するよう準備し得る。
【００７９】
工程５０６で、ＲＦＩＣはベースバンドＩＣから参照トリガを受け取り得る。工程５０８で、参照トリガを受け取る工程に応じて、ＲＦＩＣはトリガ・カウンタを起動させ得る。工程５１０で、ＲＦＩＣは参照トリガを受け取る工程に応じて参照サブフレームを送信し得る。工程５０８及び５１０はほぼ同時に行い得る。
【００８０】
工程５１２では、参照サブフレームを送信し、カウンタを起動させた後、ＲＦＩＣは、後続サブフレームの送信に関連付けられた構成情報を受け取り得る。構成情報は、カウンタのどの値で、タイミング・トリガを生成し、送出すべきかを示すタイミング調節情報を含み得る。ＲＦＩＣは、サブフレーム送信タイミングに適切なカウンタ値に実質的に等しいことがあり得る調節値もセットし得る。
【００８１】
工程５１４では、ＲＦＩＣは、カウンタ値が調節値に対応するか否かを判定し得る。カウンタ値が調節値に対応していない場合、ＲＦＩＣは、カウンタ値が調節値に対応するまで工程５１４を繰り返し得る。カウンタ値が調節値に対応している場合、方法５００は工程５１６に進み得る。
【００８２】
工程５１６で、ＲＦＩＣはタイミング・アキュレート・トリガを生成し、トランシーバ・エレメントはサブフレームを送信し始め得る。工程５１６が終わると、方法５００は終了し得る。
【００８３】
本開示の範囲から逸脱しない限り、修正、追加、又は割愛を方法５００に対して行い得る。例えば、一部の場合に特定の順序で行われるように工程を説明しているが、別の時点で１つ又は複数の工程を行い得るか、又は２つ以上の工程を同時に行い得る。更に、本方法は、無線通信システムにおけるトランシーバ・デバイスによる、データのサブフレームの送信を示しているが、方法５００は、データ送信又はデータ受信の正確なタイミングが効果的であり得る何れかの適切なシステム、装置、又はデバイスにおいて実現し得る。
【００８４】
本開示及びその利点を詳細に説明してきたが、特許請求の範囲に記載したような本開示の趣旨及び範囲から逸脱しない限り、種々の変更、置換、及び改変を行い得る。
（付記１）
無線通信エレメントであって、
トリガ値を示すデータ転送情報を生成するよう構成された第１のコントローラと、
通信するよう前記第１のコントローラに結合され、カウンタ値を増加させるよう構成されたカウンタを備える第２のコントローラと
を備え、前記第２のコントローラは、
前記データ転送情報を前記第１のコントローラから受け取り、
データ転送トリガに応じて第２の無線通信エレメントとのデータ転送を無線通信エレメントが開始するようなトリガ値に前記カウンタ値が対応すると、データ転送トリガを生成する無線通信エレメント。
（付記２）
付記１記載の無線通信エレメントであって、前記データ転送は、前記無線通信エレメントがデータを前記第２の無線通信エレメントに送信する機能を含む無線通信エレメント。
（付記３）
付記１記載の無線通信エレメントであって、前記データ転送は、前記無線通信エレメントがデータを前記第２の無線通信エレメントから受信する機能を含む無線通信エレメント。
（付記４）
付記１記載の無線通信エレメントであって、前記第２のコントローラは、前記無線通信エレメントが参照データ転送を行うと前記カウンタを開始させるよう構成される無線通信エレメント。
（付記５）
付記１記載の無線通信エレメントであって、前記第２のコントローラは、前記カウンタがリセットされ、前記無線通信エレメントの起動、適応不連続受信サイクル（ＤＲＸ）、及び前記カウンタのリセットを示す命令の前記第１のコントローラからの前記第２のコントローラによる受け取りを含む群から選択されるイベントに応じて増加しないように前記カウンタをリセットするよう構成される無線通信エレメント。
（付記６）
付記１記載の無線通信エレメントであって、前記カウンタは、前記データのサンプリング・レートで前記カウンタ値を増加させるよう構成される無線通信エレメント。
（付記７）
付記１記載の無線通信エレメントであって、前記カウンタは、データのサブフレームのデータ転送時間スロットに前記カウンタ値が対応すると、リセットし、増加させるよう構成される無線通信エレメント。
（付記８）
付記１記載の無線通信エレメントであって、前記データ転送情報は、前記データ転送トリガのタイミングを先行させるよう構成された調節値を示す無線通信エレメント。
（付記９）
付記１記載の無線通信エレメントであって、前記データ転送情報は、前記データ転送トリガのタイミングを遅延させるよう構成された調節値を示し、前記トリガ値が前記調節値に対応する無線通信エレメント。
（付記１０）
付記１記載の無線通信エレメントであって、前記トリガ値は、前記第２の無線通信エレメントから前記無線通信エレメントによって受け取られた情報に基づく無線通信エレメント。
（付記１１）
通信エレメントのデータ転送のタイミングをとる方法であって、
トリガ値を示すデータ転送情報をコントローラによって受け取る工程であって、前記コントローラはカウンタを含み、
前記カウンタのカウンタ値を、前記カウンタによって増加させる工程と、
前記カウンタ値が前記トリガ値に対応すると、デ―タ転送トリガを前記コントローラによって生成する工程と、
前記データ転送トリガに応じて第２の通信エレメントとのデータ転送を前記通信エレメントによって起動させる工程とを含む方法。
（付記１２）
付記１１記載の方法であって、前記データ転送を起動させる工程は、データを前記第２の通信エレメントに送信する工程を含む方法。
（付記１３）
付記１１記載の方法であって、前記データ転送を起動させる工程は、データを前記第２の通信エレメントから受信する工程を含む方法。
（付記１４）
付記１１記載の方法であって、前記通信エレメントが参照データ転送を行うと、前記カウンタを前記コントローラによって起動させる工程を更に含む方法。
（付記１５）
付記１１記載の方法であって、前記カウンタがリセットされ、前記無線通信エレメントの起動、適応不連続受信サイクル（ＤＲＸ）、及び前記カウンタのリセットを示す命令の前記コントローラによる受け取りを含む群から選択されるイベントに応じて増加しないように前記カウンタを前記コントローラによってリセットする工程を更に含む方法。
（付記１６）
付記１１記載の方法であって、前記データのサンプリング・レートで前記カウンタ値を増加させる工程を更に含む方法。
（付記１７）
付記１１記載の方法であって、前記カウンタ値がデータのサブフレームのデータ転送時間スロットに対応する場合、前記カウンタをリセットする工程を更に含む方法。
（付記１８）
付記１１記載の方法であって、前記データ転送情報は前記データ転送トリガのタイミングを先行させるよう構成された調節値を示し、前記方法は、前記調節値に対応する前記トリガ値に応じて前記データ転送トリガのタイミングを先行させる工程を更に含む方法。
（付記１９）
付記１１記載の方法であって、前記データ転送情報は前記データ転送トリガのタイミングを遅延させるよう構成された調節値を示し、前記方法は、前記調節値に対応する前記トリガ値に応じて前記データ転送トリガのタイミングを遅延させる工程を更に含む方法。
（付記２０）
付記１１記載の方法であって、前記トリガ値は、前記第２の無線通信エレメントから前記無線通信エレメントによって受け取られた情報に基づく方法。
【図１】
0005746075.tif 000002
【図２】
0005746075.tif 000003
【図３】
0005746075.tif 000004
【図４】
0005746075.tif 000005
【図５】
0005746075.tif 000006